(57)【要約】【課題】高額な発信装置付電力量計の設置を必要とせず、最大需要電力が目標電力になるように、空気調和機を運転／停止あるいは能力制御する。【解決手段】電力入力手段４により入力された空気調和機２の圧縮機の運転状態と送風機の運転モードに応じた消費電力合計が目標電力入力手段５により入力された目標電力になるように優先度に応じて複数台の空気調和機２を順次運転／停止あるいは能力制御する。これによって、最大需要電力の削減を図ることができる。【選択図】図１ 
2006029601.tif 000002
【特許請求の範囲】
【請求項１】
複数台の空気調和機の定格消費電力を入力する電力入力手段と、目標電力を入力する目標電力入力手段と、前記空気調和機の制御優先度を入力する優先度入力手段と、前記空気調和機毎の圧縮機の運転状態と送風機の運転モードを検知し前記電力入力手段からの出力と圧縮機の運転状態と送風機の運転モードに応じた消費電力の合計を演算する消費電力演算手段を備えた遠隔操作装置であって、前記目標電力入力手段と前記消費電力演算手段の出力をもとに空気調和機の消費電力の合計が目標電力となるように、前記優先度入力手段で設定された優先度にしたがって前記空気調和機の運転／停止あるいは能力制御を電力調整手段により行うことを特徴とする遠隔制御装置。
【請求項２】
電力入力手段と、空気調和機毎目標電力入力手段と、優先度入力手段と、これらの出力と圧縮機の運転状態と送風機の運転モードをもとに空気調和機毎の消費電力を演算し、各々設定された目標電力となるように、前記優先度入力手段で設定された優先度にしたがって該当する空気調和機の運転／停止あるいは能力制御を行うことを特徴とする請求項１記載の遠隔制御装置。
【請求項３】
消費電力の合計が目標電力を超過した場合、前記消費電力の合計と目標電力の差に最も近い電力を消費している空気調和機から優先的に停止することを特徴とする請求項１記載の遠隔制御装置。
【請求項４】
目標電力入力手段を、所定期間毎に目標電力を入力できるものとしたことを特徴とする、請求項１または２記載の遠隔制御装置。
【請求項５】
目標電力入力手段を、圧縮機の運転状態と送風機の運転状態に応じてあらかじめ設定された目標電力を自動的に入力されることを特徴とする、請求項１または２記載の遠隔制御装置。
【請求項６】
目標電力入力手段を、目標電力と目標電力に対する安全率を入力できるものとしたことを特徴とする、請求項１または２記載の遠隔制御装置。
【請求項７】
電力料金入力手段と、目標料金入力手段とを備えた遠隔制御装置であって、消費電力料金の合計が目標料金になるように前記空気調和機の運転／停止あるいは能力制御を行うことを特徴とする請求項１または２記載の遠隔制御装置。
【発明の詳細な説明】
【技術分野】
【０００１】
本発明は、空気調和機の消費電力の遠隔制御装置に関するものである。
【背景技術】
【０００２】
従来、この種の遠隔制御装置では、例えば図６に記載された遠隔制御装置があった。
【０００３】
図６において、電力量に対する発信装置付電力量計１０９からのパルス信号を信号線１１１を介して入力するパルス信号入力部１０４と、パルス信号から電力を計算する電力算出手段１０５と、この電力算出手段１０５の信号をシリアル信号に変換し中央装置１０１からのシリアル制御信号をパラレル信号に変換するパラレル・シリアル変換手段１０６と、このパラレル・シリアル変換手段１０６からの信号と中央装置１０１からの制御信号を入出力するシリアル信号入出力部１０７と、中央装置１０１からの制御信号をパラレル・シリアル変換手段１０６を介して入力し空調機１１０を制御する制御信号出力部１０８とを備えた複数の端末機１０３を設け、端末機１０３は中央装置１０１と伝送線１０２を介して接続され、中央装置１０１は端末機１０３からの電力算出手段１０５のシリアル信号を受け電力を集計し空調機１１０の制御命令を出していた（例えば、特許文献１参照）。
【特許文献１】特開昭６２−２２９５０号公報
【発明の開示】
【発明が解決しようとする課題】
【０００４】
しかしながら、前記従来の構成では、最大需要電力を削減するために遠隔制御装置により電力算出手段１０５からの電力計測値をもとに目標電力になるように空調機１１０を制御していた。このため高額な発信装置付電力量計１０９が必要であり、発信装置付電力量計１０９から端末機１０３までの信号線１１１とそれに伴う工事が必要となる課題を有していた。
【０００５】
本発明は、前記従来の課題を解決するものであり、複数台の空気調和機の定格消費電力を入力し運転状態と圧縮機の運転状態と送風機の運転モードに応じた消費電力を演算することで高額な発信装置付電力量計の設置を必要とせず消費電力が目標電力になるように空気調和機を所定時間毎に順次運転停止する電力調整手段を備えた遠隔制御装置を提供するものである。
【課題を解決するための手段】
【０００６】
前記課題を解決するため、本発明の遠隔制御装置は、電力入力手段により入力された複数台の空気調和機毎の消費電力と圧縮機の運転状態と送風機の運転モードにより消費電力合計を消費電力演算手段により演算し目標電力入力手段により入力された目標電力になるように優先度入力手段で順位づけられた優先度に応じて複数台の空気調和機を所定時間毎に順次、運転／停止あるいは能力制御するものである。
【０００７】
この構成によって、空気調和機の電力を計測する高額な発信装置付電力量計を必要とせず、このため発信装置付電力量計から遠隔制御装置までの信号線とこれに伴う工事を不要とすることができる。
【発明の効果】
【０００８】
本発明の遠隔制御装置は、高額な発信装置付電力量計を必要とせず、発信装置付電力量計から遠隔制御装置までの信号線とこれに伴う工事を不要とすることができるので、電力削減を安価に達成することができる。
【発明を実施するための最良の形態】
【０００９】
第１の発明は、複数台の空気調和機の所定消費電力を入力する電力入力手段と、目標電力を入力する目標電力入力手段と、空気調和機の制御優先度を入力する優先度入力手段と、空気調和機毎の圧縮機の運転状態と送風機の運転モードを検知し電力入力手段からの出力と圧縮機の運転状態と送風機の運転モードに応じた消費電力の合計を演算する消費電力演算手段を備えた遠隔操作装置であって、目標電力入力手段と優先度入力手段と消費電力演算手段の出力をもとに運転時の消費電力の合計が目標電力となるように、優先度入力手段で設定された優先度にしたがって空気調和機の運転／停止あるいは能力制御を電力調整手段により行うものである。
【００１０】
これによって、複数台の空気調和機の電力を計測する高額な発信装置付電力量計を必要とせず、最大需要電力が目標電力になるように設定された優先順に、複数台の空気調和機を所定時間毎に運転／停止あるいは能力制御することができる。
【００１１】
第２の発明は、特に第１の発明で電力入力手段と、空気調和機毎目標電力入力手段と、優先度入力手段と、これらの出力と圧縮機の運転状態と送風機の運転モードをもとに空気調和機毎の消費電力が各々設定された目標電力となるように、優先度入力手段で設定された優先度にしたがって該当する空気調和機の運転／停止あるいは能力制御を行うものである。これによって、空気調和機毎に目標電力を設定できることで電力の使用過多を防止でき、空気調和機の長寿命化を図ることができる。
【００１２】
第３の発明は、特に第１の発明で消費電力の合計が目標電力を超過した場合、消費電力の合計と目標電力の差に最も近い電力を消費している空気調和機から優先的に停止するものである。これによって、優先順を複数の空気調和機の消費電力合計と目標電力との電力差に近い消費電力を持つ空気調和機から順次運転／停止あるいは能力制御することで、優先度の設定を自動化できる。
【００１３】
第４の発明は、特に第１または第２の発明で目標電力入力手段を所定期間毎に目標電力を入力できるようにしたものである。これによって、目標電力を所定期間毎に設定できるので、年間を通じたランニングコストの削減ができる。
【００１４】
第５の発明は、特に第１または第２の発明で目標電力入力手段を圧縮機の運転状態と送風機の運転状態に応じてあらかじめ設定された目標電力を自動的に入力されるようにしたものである。これによって、目標電力を圧縮機の運転状態と送風機の運転モードにより設定できるので、快適性を下げずに電力削減ができる。
【００１５】
第６の発明は、特に第１または第２の発明で目標電力入力手段を、目標電力と目標電力に対する安全率を入力できるものである。これによって、目標電力における安全率を入力できるので急激な電力負荷変動が発生した場合でも最大電力量を超えることなく電力の削減ができる。
【００１６】
第７の発明は、特に第１または第２の発明で料金入力手段と、目標料金入力手段と、優先度入力手段と、前記料金入力手段の入力値と圧縮機の運転状態と送風機の運転モードを基に消費電力料金の合計を演算する料金演算手段を備えた遠隔制御装置であって、前記優先度入力手段で設定した優先度にしたがって、運転消費電力料金の合計が目標料金になるように前記空気調和機の運転／停止あるいは能力制御を行うものである。これによって、目標電力のかわりに目標料金を入力することができるので、あらかじめ自由に決定した料金内で空気調和機を運転停止ができる。このため電力会社が設定した電力料金以外の料金設定を店舗オーナーが設定できるので、店舗の管理が効率よくできる。
【００１７】
以下、本発明の実施の形態について図面を参照しながら説明する。
【００１８】
（実施の形態１）
図１は、本発明の実施の形態１における遠隔制御装置のブロック図である。同図において、遠隔制御装置１は、電力入力手段４、目標電力入力手段５、優先度入力手段６、消費電力演算手段７、電力調整手段８から構成されている。
【００１９】
電力入力手段４は、複数台の空気調和機２Ａ、２Ｂ、・・・、２Ｎの定格消費電力（例：１０ｋＷ，２０ｋＷ・・・１０ｋＷ）を入力する。目標電力入力手段５は、最大消費電力を削減するために、利用可能な目標電力（例：１００ｋＷ）を入力する。消費電力演算手段７は、信号線９を介して空気調和機２毎の吸込み温度と設定温度を検知し吸込み温度と設定温度との温度差から消費電力補正係数（例：０．９，１．０，１．１）を選択して、圧縮機の運転状態と送風機の運転モードで代表される前記空気調和機２の運転状態に応じた消費電力合計を演算する（例：１１０ｋＷ）。優先度入力手段６は、空気調和機２の優先度を入力する（例：２Ａ＝優先度高、２Ｂ＝優先度低・・・２Ｎ＝優先度中）。電力調整手段８は、運転時の消費電力合計（例：１１０ｋＷ）が目標電力（例：１００ｋＷ）になるように前記優先度入力手段６で設定された優先度順に信号線３を介して複数の前記空気調和機２へ運転／停止あるいは能力制御信号を送り所定時間毎に順次運転／停止あるいは能力制御を行う。以降この動作を繰り返す。
【００２０】
以上のように構成された遠隔制御装置は、電力入力手段４により入力された複数台の空気調和機２毎の圧縮機の運転状態と送風機の運転モードに応じた消費電力の合計を消費電力演算手段７により演算し、目標電力入力手段５により入力された目標電力になるように、優先度入力手段６で順位づけられた優先度に応じて複数台の空気調和機２を所定時間毎に順次運転／停止あるいは能力制御するものである。したがって複数台の空気調和機２の電力を計測する高額な発信装置付電力量計を必要とせず、発信装置付電力量計から遠隔制御装置１までの信号線とこれに伴う工事を不要とすることができる。
【００２１】
尚、電力入力手段４、目標電力入力手段５、優先度入力手段６への入力はパソコンの他、キー入力手段とマウス入力手段とタッチパネル入力手段のいずれかと画面を持つ入力手段を使用しても良い。また、前記電力入力手段４は、空気調和機２の運転状態に合わせた定格消費電力の複数入力ができるものとする（例：冷房運転時用＝１０ｋＷ、暖房運転時用＝５ｋＷ）。
【００２２】
（実施の形態２）
図２は、本発明の実施の形態２における遠隔制御装置のブロック図である。同図において、図１と同じ構成要素については同じ符号を用い説明を省略する。
【００２３】
空気調和機毎目標電力入力手段１０は、最大消費電力を削減するために空気調和機２毎に利用可能な目標電力（例：９ｋＷ）を入力する。空気調和機毎電力調整手段１１は、空気調和機２毎の吸込み温度と設定温度を検知し吸込み温度と設定温度との温度差から消費電力補正係数（例：０．９，１．０，１．１）を選択して、圧縮機の運転状態と送風機の運転モードに応じた運転時の消費電力（例：１１ｋＷ）が目標電力（例：９ｋＷ）になるように、前記優先度入力手段６で設定された優先度順に信号線３を介して複数の空気調和機２の該当する空気調和機へ運転停止信号を送り所定時間毎に順次運転／停止あるいは能力制御を行う。遠隔制御装置１は、前記電力入力手段４、前記空気調和機毎目標電力入力手段１０、優先度入力手段６、空気調和機毎電力調整手段１１から構成されている。以降この動作を繰り返す。
【００２４】
以上のように構成された遠隔制御装置は、電力入力手段４により入力された複数台の空気調和機２毎の圧縮機の運転状態と送風機の運転モードに応じた消費電力が空気調和機毎目標電力入力手段１０により入力された目標電力になるように、優先度入力手段６で順位づけられた優先度に応じて空気調和機毎電力調整手段１１により該当する空気調和機２を所定時間毎に順次運転／停止あるいは能力制御するものである。したがって空気調和機毎の電力の使用過多を防止でき空気調和機の長寿命化を図ることができる。
【００２５】
（実施の形態３）
図３は、本発明の実施の形態３における遠隔制御装置のブロック図である。同図において、図１と同じ構成要素については同じ符号を用い説明を省略する。
【００２６】
優先度入力手段１２は、消費電力演算手段７で演算された消費電力合計（例：１００ｋＷ）と目標電力入力手段５で入力された目標電力（例：９０ｋＷ）との電力差（１０ｋＷ）に近い消費電力（例：９ｋＷ）を持つ空気調和機２を選択し、選択された順に電力調整手段８と信号線３を介し所定時間毎に順次空気調和機２の運転／停止あるいは能力制御をおこなう。
【００２７】
以上のように構成された遠隔制御装置は、複数台の空気調和機２毎の圧縮機の運転状態と送風機の運転モードに応じた消費電力合計を消費電力演算手段７により演算し、目標電力入力手段５により入力された目標電力になるように、優先度入力手段１２で自動的に順位づけられた優先度に応じて複数台の空気調和機２を順次運転停止するものである。したがって複数の空気調和機２の消費電力合計と目標電力との電力差に近い消費電力を持つ空気調和機２から所定時間毎に順次運転／停止あるいは能力制御することで優先度の設定を自動化できる。
【００２８】
（実施の形態４）
図１を用いて、本発明の実施の形態４における遠隔制御装置を説明する。同図において、実施の形態１で説明した部分については説明を省略する。
【００２９】
目標電力入力手段５は、最大需要電力を削減するために利用可能な目標電力を期間毎に複数入力する（例：１月〜３月＝８０ｋＷ、４月〜５月＝３０ｋＷ、６月〜９月＝１００ｋＷ、１０月〜１２月＝４０ｋＷ）。
【００３０】
以上のように構成された遠隔制御装置は、電力入力手段４により入力された複数台の空気調和機２毎の圧縮機の運転状態と送風機の運転モードに応じた消費電力合計を消費電力演算手段７により演算し、目標電力入力手段５により入力された期間毎の目標電力になるように、優先度入力手段６で順位づけられた優先度に応じて複数台の空気調和機２を所定時間毎に順次運転／停止あるいは能力制御するものである。したがって電力の消費が集中する日中の消費電力をカットでき最大消費電力の削減ができる。
【００３１】
（実施の形態５）
図５を用いて、本発明の実施の形態５における遠隔制御装置を説明する。同図において、実施の形態１で説明した部分については説明を省略する。
【００３２】
目標電力自動設定入力手段２０は、最大需要電力を削減するために利用可能な目標電力を、圧縮機の運転状態と送風機の運転状態によりあらかじめ設定された数値により自動的に入力される。
【００３３】
以上のように構成された遠隔制御装置は、電力入力手段４により入力された複数台の空気調和機２毎の圧縮機と送風機それぞれの運転時間に応じて消費電力合計を消費電力演算
手段７により演算し、目標電力入力手段５により入力された圧縮機と送風機それぞれの運転時間毎に目標電力になるように、優先度入力手段６で順位づけられた優先度に応じて複数台の空気調和機２を所定時間毎に順次発停あるいは能力制御するものである。したがって快適性を下げずに電力削減ができる。
【００３４】
（実施の形態６）
図１を用いて、本発明の実施の形態６における遠隔制御装置を説明する。同図において、実施の形態１で説明した部分については説明を省略する。
【００３５】
目標電力入力手段５は、最大需要電力を削減するために利用可能な目標電力と目標電力に対する安全率（％）を入力できる（例：安全率＝２０％）。
【００３６】
以上のように構成された遠隔制御装置は、電力入力手段４により入力された複数台の空気調和機２毎の圧縮機の運転状態と送風機の運転モードに応じた消費電力合計を消費電力演算手段７により演算し、目標電力入力手段５により入力された目標電力（１００ｋＷ）に安全率（２０％）を乗じた目標電力（８０ｋＷ）になるように、優先度入力手段６で順位づけられた優先度に応じて複数台の空気調和機２を所定時間毎に順次運転／停止あるいは能力制御するものである。したがって急激な電力負荷変動が発生した場合でも最大電力量を超えることなく電力の削減ができる。
【００３７】
（実施の形態７）
図４は、本発明の実施の形態７における遠隔制御装置のブロック図である。同図において、図１と同じ構成要素については同じ符号を用い説明を省略する。
【００３８】
料金入力手段１６は、複数台の空気調和機２Ａ、２Ｂ、・・・、２Ｎの所定消費電力料金（例：１０万円，２０万円・・・２０万円）を入力する。目標料金入力手段１７は、最大需要電力を削減するために、利用可能な目標料金（例：１００万円）を入力する。消費電力料金演算手段１８は、信号線９を介し前記空気調和機２の運転状態と吸込み温度と設定温度との温度差に応じた消費電力料金合計を演算する（例：１１０万円）。優先度入力手段６は、空気調和機２の優先度を入力する（例：２Ａ＝優先度高、２Ｂ＝優先度低・・・２Ｎ＝優先度中）。電力料金調整手段１９は、運転時の消費電力料金合計（例：１１０万円）が目標料金（例：１００万円）になるように、前記優先度入力手段６で設定された優先度順に信号線３を介して複数の前記空気調和機２へ運転停止信号を送り所定時間毎に順次運転停止を行う。遠隔制御装置１は、前記料金入力手段１６、前記目標料金入力手段１７、前記優先度入力手段６、前記消費電力料金演算手段１８、前記電力料金調整手段１９から構成されている。
【００３９】
以上のように構成された遠隔制御装置は、料金入力手段１６により入力された複数台の空気調和機２の圧縮機の運転状態と送風機の運転モードに応じた消費電力料金合計を消費電力料金演算手段１８により演算し、目標料金入力手段１７により入力された目標料金になるように優先度入力手段６で順位づけられた優先度に応じて複数台の空気調和機２を所定時間毎に順次運転／停止あるいは能力制御するものである。したがって目標電力のかわりに目標料金を入力することができるのであらかじめ自由に決定した料金内で空気調和機を運転／停止あるいは能力制御ができる。このため電力会社が設定した電力料金以外の料金設定を店舗オーナーが設定できるので店舗の管理が効率よくできる。
【産業上の利用可能性】
【００４０】
以上のように、本発明にかかる遠隔制御装置は、複数台の空気調和機の電力を計測する高額な発信装置付電力量計を必要とせず、最大需要電力が目標電力になるように設定された優先順に複数台の空気調和機を所定時間毎に運転／停止あるいは能力制御することが可
能となるので、空気調和機の多い大型ビルだけでなく小規模なテナントビルや店舗等の用途にも適用できる。
【図面の簡単な説明】
【００４１】
【図１】本発明の実施の形態１および４，６における遠隔制御装置のブロック図
【図２】本発明の実施の形態２における遠隔制御装置のブロック図
【図３】本発明の実施の形態３における遠隔制御装置のブロック図
【図４】本発明の実施の形態７における遠隔制御装置のブロック図
【図５】本発明の実施の形態５における遠隔制御装置のブロック図
【図６】従来の遠隔制御装置のブロック図
【符号の説明】
【００４２】
１  遠隔制御装置
２  空気調和機
３，９  信号線
４  電力入力手段
５  目標電力入力手段
６  優先度入力手段
７  消費電力演算手段
８  電力調整手段
１０  空気調和機毎目標電力入力手段
１１  空気調和機毎電力調整手段
１６  料金入力手段
１７  目標料金入力手段
１８  料金演算手段
１９  電力料金演算手段
２０  目標電力自動設定入力手段
【図１】
2006029601.tif 000003
【図２】
2006029601.tif 000004
【図３】
2006029601.tif 000005
【図４】
2006029601.tif 000006
【図５】
2006029601.tif 000007
【図６】
2006029601.tif 000008